(57)【特許請求の範囲】
【請求項１】
巻取軸から垂下するスクリーンの下端に、板状の生地押さえを介して装着されるとともに、前記巻取軸の軸方向に対して垂直方向の断面が非対称に形成されるロールスクリーン用ウェイトバーにおいて、
前記スクリーン側に開口するとともに、前記生地押さえがその長手方向に沿って挿入可能とされる溝を有し、
前記溝には、前記生地押さえが前記溝に挿入された状態において、前記生地押さえの前後方向においてその一端側が相対的に前記スクリーン側に引っ張られたとき前記生地押さえの一端側を係止する第１の係止部と、
前記生地押さえが前記溝に挿入された状態から、前記スクリーンの表裏の反転に伴って前記前後方向における前記生地押さえの一端側と他端側とを反転させた状態となった場合、前記生地押さえの一端側が相対的に前記スクリーン側に引っ張られたとき前記生地押さえの一端側を係止する第２の係止部と、が形成され、
前記溝は、
上側に延出するとともに、その上端に前記第１の係止部が形成される前壁と、
上側に延出するとともに、その上端に形成される前記第２の係止部が当該前壁よりも低い位置となる後壁と、
前記前壁及び後壁を連結させる底面と、で構成され、
前記スクリーンの表裏の反転に伴う前記生地押さえの反転時には、前記前壁の内面が前記生地押さえの他端側に当接しつつ、前記第２の係止部が前記生地押さえの一端側を前記溝内に係止するロールスクリーン用ウェイトバー。
【請求項２】
請求項１に記載のロールスクリーン用ウェイトバーにおいて、
前記ウェイトバーにおける前記第２の係止部の背面側に緩衝材であるダンパが装着され、前記ダンパは、前記スクリーンが前記巻取軸に巻き取られたときに、前記ウェイトバー及び前記巻取軸の上側に位置するフレーム間に位置し、
前記ウェイトバーは、前記ダンパが装着された状態で前記垂直方向の断面の外形の対称性が確保される態様で形成され、
前記第２の係止部は、前記ダンパに背面側及び上側が覆われるように形成されるロールスクリーン用ウェイトバー。
【請求項３】
請求項１又は２に記載のロールスクリーン用ウェイトバーにおいて、
前記溝には、前記底面と、前記前壁及び前記後壁とをなだらかに連結させる曲面が形成され、
前記第１の係止部又は前記第２の係止部に、前記生地押さえの一端側が前記スクリーンを介して係止されているとき、その他端側が前記曲面に当接されるロールスクリーン用ウェイトバー。
【発明の詳細な説明】
【技術分野】
【０００１】
この発明は、ロールスクリーンにおける生地の端部に装着されるウェイトバーに関するものである。
【背景技術】
【０００２】
ロールブラインドは、取付面に回転可能に支持された巻取軸からスクリーンが吊下支持される。そして、巻取軸の回転操作によりスクリーンを昇降して採光量を適宜に調節可能としている。
【０００３】
例えば、特許文献１に記載されるロールブラインドにおいては、そのスクリーンをリバーシブル（表裏反転）可能に構成されている。このスクリーンの両面に異なる意匠を施すことで、ユーザは自身の好みに合わせてスクリーンの意匠を選択することができる。
【０００４】
具体的には、スクリーンの両端に一対のウェイトバーを設ける。巻取パイプは、軸芯と、その軸芯の外周を覆う嵌合部とを備える。嵌合部は、軸芯の外周との間でスクリーンを厚さ方向に挟む。また、嵌合部には、ウェイトバーが嵌合可能な一対の嵌合穴が形成される。一方のウェイトバーが自身に対応した嵌合穴に嵌合した状態で、スクリーンにおける一方の面が室内側となる。そして、スクリーンを表裏反転させる場合には、嵌合穴におけるウェイトバーを下側に引っ張る。これにより、スクリーンが、軸芯及び嵌合部間を介して一方のウェイトバー側に送られる。そして、他方のウェイトバーが自身に対応した嵌合穴に嵌合して、スクリーンにおける他方の面が室内側となる。
【０００５】
例えば、特許文献２に記載のロールブラインドは、図２０に示すように、軸回転可能に支持される巻取パイプ１０５と、同巻取パイプ１０５に装着されるスクリーン１００と、スクリーン１００の下端に装着されるウェイトバー１１１とを備える。このウェイトバー１１１は、巻上げ時のフレームへの接触を緩和するべく、ダンパ１１５が嵌合可能に構成されている。すなわち、図２０に拡大して示すように、ウェイトバー１１１の左側にはダンパ１１５が嵌合するダンパ側溝１１６が形成されている。また、ウェイトバー１１１の上側にはスクリーン側溝１１７が形成されている。このスクリーン側溝１１７を構成する図の右上端部には、スクリーン側溝１１７の内側に突出する係止部１１８が形成されている。
【０００６】
一方、スクリーン１００の下端には生地押さえ１１０が装着されている。この生地押さえ１１０は、ウェイトバー１１１の側方からスクリーン側溝１１７内に挿入される。挿入された状態においては、生地押さえ１１０の右側端部が係止部１１８の内側に係止される。これにより、ウェイトバー１１１が、生地押さえ１１０、ひいてはスクリーン１００から脱落することが防止される。
【０００７】
ダンパ１１５がダンパ側溝１１６を通じてウェイトバー１１１に嵌合された状態で、それらの断面の外形が同図の左右方向に対称となる。すなわち、ウェイトバー１１１のみの断面の外形形状は、同図の左右方向に非対称である。
【０００８】
ダンパ１１５はエラストマーなどで形成されるとともに、スクリーン１００の巻上げ時に、ウェイトバー１１１が、巻取パイプ１０５の上側に位置するフレーム１２０に接触することを防止する。これにより、静音性等を高めることができる。
【先行技術文献】
【特許文献】
【０００９】
【特許文献１】特開平３−２２１６９３号公報
【特許文献２】意匠登録第１２０６７３８号公報
【発明の概要】
【発明が解決しようとする課題】
【００１０】
上記特許文献１の構成においては、ウェイトバーが２つ必要となるとともに、その一方のウェイトバーを巻取軸にて保持可能に構成する必要があることから構成が複雑であった。
【００１１】
上記特許文献２の構成は、特許文献１の構成に比して簡易に構成されるものの、スクリーン１００を表裏反転させた場合には以下のような問題が想定される。すなわち、図２０に示す構成において、巻取パイプ１０５からスクリーン１００を取り外す。そして、スクリーン１００を表裏反転させた後に再び巻取パイプ１０５に装着する。この状態において、上記と同様の向きで、ウェイトバー１１１を生地押さえ１１０に装着すると、スクリーン１００の巻上げ時にウェイトバー１１１がフレーム１２０に直接接触することになる。そのため、図２１に示すように、ウェイトバー１１１を、同図の左右方向に反転させてから生地押さえ１１０に挿入する必要がある。このように挿入した場合には、生地押さえ１１０の左側端部が上側に引っ張られる。このとき、上記係止部１１８のように生地押さえ１１０を係止する部材がない。このため、同図の２点鎖線で示すように、ウェイトバー１１１は生地押さえ１１０から脱落する。このように、ダンパ１１５が装着される断面非対称に構成されるウェイトバー１１１は、スクリーン１００の表裏反転に対応できなかった。
【００１２】
この発明は、こうした実情に鑑みてなされたものであり、その目的は、ロールスクリーンの構成を複雑化することなく、自身に対してスクリーンの表裏が反転されてもスクリーンに装着可能とされるウェイトバーを提供することにある。
【課題を解決するための手段】
【００１３】
以下、上記目的を達成するための手段及びその作用効果について説明する。
請求項１に記載の発明は、巻取軸から垂下するスクリーンの下端に、板状の生地押さえを介して装着されるとともに、前記巻取軸の軸方向に対して垂直方向の断面が非対称に形成されるロールスクリーン用ウェイトバーにおいて、前記スクリーン側に開口するとともに、前記生地押さえがその長手方向に沿って挿入可能とされる溝を有し、前記溝には、前記生地押さえが前記溝に挿入された状態において、前記生地押さえの前後方向においてその一端側が相対的に前記スクリーン側に引っ張られたとき前記生地押さえの一端側を係止する第１の係止部と、前記生地押さえが前記溝に挿入された状態から、前記スクリーンの表裏の反転に伴って前記前後方向における前記生地押さえの一端側と他端側とを反転させた状態となった場合、前記生地押さえの一端側が相対的に前記スクリーン側に引っ張られたとき前記生地押さえの一端側を係止する第２の係止部と、が形成され、前記溝は、上側に延出するとともに、その上端に前記第１の係止部が形成される前壁と、上側に延出するとともに、その上端に形成される前記第２の係止部が当該前壁よりも低い位置となる後壁と、前記前壁及び後壁を連結させる底面と、で構成され、前記スクリーンの表裏の反転に伴う前記生地押さえの反転時には、前記前壁の内面が前記生地押さえの他端側に当接しつつ、前記第２の係止部が前記生地押さえの一端側を前記溝内に係止することをその要旨としている。
【００１４】
同構成によれば、スクリーンの表裏が反転されることに伴って生地押さえの一端側と他端側とが反転された場合であっても、生地押さえがウェイトバーの溝内に保持される。例えば、スクリーンの表面が室内側にあるときには、第１の係止部を通じて生地押さえが溝内に係止される。また、スクリーンの裏面が室内側にあるときには、第２の係止部を通じて生地押さえが溝内に係止される。よって、ウェイトバーが自重によってスクリーンから脱落することが抑制される。本構成においては、スクリーンの表裏の反転が可能とされるロールスクリーンであってもウェイトバーは１つで済む。よって、ロールスクリーンの構成を複雑化することなく、スクリーンの表裏が反転されてもウェイトバーをスクリーンに装着可能となる。加えて、第２の係止部が前壁よりも低い位置に形成される。また、スクリーンの表裏の反転に伴う生地押さえの反転時には、前壁の内面が生地押さえの他端側に当接しつつ、第２の係止部が生地押さえの一端側を係止する。これにより、生地押さえを反転させた場合であっても、溝内における生地押さえの回転が規制される。
【００１７】
請求項２に記載の発明は、請求項１に記載のロールスクリーン用ウェイトバーにおいて、前記ウェイトバーにおける前記第２の係止部の背面側に緩衝材であるダンパが装着され、前記ダンパは、前記スクリーンが前記巻取軸に巻き取られたときに、前記ウェイトバー及び前記巻取軸の上側に位置するフレーム間に位置し、前記ウェイトバーは、前記ダンパが装着された状態で前記垂直方向の断面の外形の対称性が確保される態様で形成され、前記第２の係止部は、前記ダンパに背面側及び上側が覆われるように形成されることをその要旨としている。
【００１８】
同構成によれば、第２の係止部は、装着されたダンパに背面側及び上側に覆われるように形成される。このように第２の係止部を形成することで、ウェイトバーにダンパが装着された状態での断面の対称性を確保することができる。
【００１９】
請求項３に記載の発明は、請求項１又は２に記載のロールスクリーン用ウェイトバーにおいて、前記溝には、前記底面と、前記前壁及び前記後壁とをなだらかに連結させる曲面が形成され、前記第１の係止部又は前記第２の係止部に、前記生地押さえの一端側が前記スクリーンを介して係止されているとき、その他端側が前記曲面に当接されることをその要旨としている。
【００２０】
同構成によれば、第１の係止部又は前記第２の係止部に、生地押さえの一端側がスクリーンを介して係止されているとき、その他端側が曲面に当接する。ここで、スクリーンの厚さには多くの種類がある。この厚さが変更されると、スクリーンは、第１の係止部又は第２の係止部と生地押さえとの間に介在しているため、溝内における生地押さえの角度が変わる。この場合でも、生地押さえは、その他端側が曲面に沿って移動し安定的な角度をとる。これにより、スクリーンの厚さが変更された場合であっても、同一のウェイトバーの構成にて、生地押さえを保持することができる。従って、ウェイトバーの汎用性を向上させることができる。
【発明の効果】
【００２１】
本発明によれば、ウェイトバーにおいて、ロールスクリーンの構成を複雑化することなく、自身に対してスクリーンの表裏が反転されてもスクリーンに装着可能とすることができる。
【図面の簡単な説明】
【００２２】
【図１】第１の実施形態における（ａ）ロールスクリーンの側面図、（ｂ）ロールスクリーンの正面図。
【図２】第１の実施形態における巻取軸の部分断面図。
【図３】第１の実施形態における（ａ）ウェイトバーの正面図、（ｂ）ウェイトバーの背面図、（ｃ）ウェイトバーの上面図、（ｄ）ウェイトバーの下面図、（ｅ）ウェイトバーの右側面図、（ｆ）ウェイトバーの左側面図。
【図４】第１の実施形態におけるウェイトバーにダンパを組んだ状態での斜視図。
【図５】第１の実施形態におけるダンパがフレームに接触したときの断面図。
【図６】第１の実施形態における巻取軸の部分断面図。
【図７】第１の実施形態における巻取軸の部分断面図。
【図８】第１の実施形態における巻取軸の部分断面図。
【図９】第１の実施形態における巻取軸の部分断面図。
【図１０】第１の実施形態におけるスクリーンの表面が室内側のときのウェイトバーの断面図。
【図１１】第１の実施形態におけるスクリーンの裏面が室内側のときのウェイトバーの断面図。
【図１２】第２の実施形態におけるスクリーンの表面が室内側のときのウェイトバーの断面図。
【図１３】第２の実施形態におけるスクリーンの裏面が室内側のときのウェイトバーの断面図。
【図１４】第３の実施形態におけるスクリーンの表面が室内側のときのウェイトバーの断面図。
【図１５】第３の実施形態におけるスクリーンの裏面が室内側のときのウェイトバーの断面図。
【図１６】第４の実施形態におけるスクリーンの表面が室内側のときのウェイトバーの断面図。
【図１７】第４の実施形態におけるスクリーンの裏面が室内側のときのウェイトバーの断面図。
【図１８】第５の実施形態におけるスクリーンの表面が室内側のときのウェイトバーの断面図。
【図１９】第５の実施形態におけるスクリーンの裏面が室内側のときのウェイトバーの断面図。
【図２０】背景技術におけるダンパを有するウェイトバーを備えたロールスクリーンの側面図。
【図２１】背景技術における生地押さえを左右反転させたときのウェイトバーの断面図。
【発明を実施するための形態】
【００２３】
（第１の実施形態）
以下、本発明にかかるウェイトバーをロールブラインドに具体化した第１の実施形態について図１〜図１１を参照して説明する。
【００２４】
（構成）
図１（ａ）及び図１（ｂ）に示すように、ロールブラインドは、取付面に固定されるフレーム１１の両端に一対の支持ブラケット１２が取着され、その支持ブラケット１２間に巻取軸１３が回転可能に支持されている。この巻取軸１３は、アルミ押し出し形材で円筒状に形成される。巻取軸１３の軸回転に伴って、布状のスクリーン１０は、巻取軸１３に対して巻き取られ又は巻き出される。
【００２５】
スクリーン１０は、その上下端部に沿って、上側生地押さえ１５及び下側生地押さえ１７が取り付けられる。このスクリーン１０は、リバーシブル用であって表面１０ａ及び裏面１０ｂにそれぞれ異なる意匠が施されている。本実施形態では、両生地押さえ１５，１７は、スクリーン１０に対して縫合されている。また、スクリーン１０として縫製用の最も厚い生地が採用されている。両生地押さえ１５，１７は、弾性を有する合成樹脂で前記巻取軸１３の軸方向とほぼ同様な長さの板状に形成される。
【００２６】
図２に示すように、上側生地押さえ１５の右側端部には、図の下方向に突出した当接部１５ａが形成される。当接部１５ａの外面は球面状に形成されている。また、当接部１５ａの内面は、上側生地押さえ１５の本体面に対して直交している。上側生地押さえ１５における、この直交した部分にスクリーン１０の上端面を合わせることで、縫合時にスクリーン１０の位置がずれることが抑制される。また、図１０に示すように、下側生地押さえ１７にも上記当接部１５ａと同一形状の当接部１７ａが形成される。
【００２７】
図２に示すように、巻取軸１３の上側外周面には取付凹部１４が形成されている。この取付凹部１４の底面には、巻取軸１３の径方向に突出する係止突部１８が設けられている。そして、その係止突部１８の先端部に球状の膨径部１９が形成されている。
【００２８】
この取付凹部１４の左側縁部には、巻取軸１３の外周面を延長するように庇部２１が形成されている。
係止突部１８の膨径部１９には生地保持部材３１が装着される。生地保持部材３１には、その下面に膨径部１９の形状に対応した嵌合溝３２が形成されている。生地保持部材３１には、自身の嵌合溝３２が膨径部１９に嵌合した状態で、庇部２１の下側に延出する延出部３３が形成される。
【００２９】
延出部３３は、取付凹部１４の底面との間で、生地押さえ１５及びそれに面接触するスクリーン１０を挟み込む。延出部３３は、庇部２１によって上側への変位が規制されている。
【００３０】
スクリーン１０の上端は、生地保持部材３１によって生地押さえ１５を介して取付凹部１４内に固定される。そして、スクリーン１０は、生地保持部材３１の上面に沿って巻取軸１３の室外側から垂下した状態となる。この状態においては、スクリーン１０の表面１０ａが室内側となる。
【００３１】
一方、図１（ａ）に示すように、下側生地押さえ１７には、アルミ製のウェイトバー４０が装着される。図３（ａ）〜図３（ｆ）には、ウェイトバー４０の正面図、背面図、上面図、下面図及び両側面図が図示されている。
【００３２】
図３（ｆ）に示すように、ウェイトバー４０は、右側の一部が欠落した略楕円状に形成されるとともに、スクリーン１０側に開口した上側溝４１と、下側に開口した下側溝４２とを備える。両溝４１，４２間には、中空部４３が形成されている。なお、ウェイトバー４０はアルミ押し出し成形されている。
【００３３】
また、中空部４３の右側には、右方向に開口したダンパ側溝４５が形成されている。ダンパ側溝４５は、図１０の反時計回りに９０度傾けた略Ｔ字状に形成されている。なお、ウェイトバー４０は、長手方向に沿って同一断面形状を有している。
【００３４】
上側溝４１は、図１０に示すように、室内側（前側）に形成される前壁４８と、室外側（後側）に形成される後壁４９と、前壁４８及び後壁４９を下側で連結する底壁４４とで形成されている。
【００３５】
前壁４８は、底壁４４から上方向に延出するとともに、その上端側は右斜め上に傾斜している。そして、前壁４８における先端には第１の係止部４６が形成されている。この第１の係止部４６は、上側溝４１の内側に屈曲している。一方、後壁４９は、底壁４４から上方向に延出するとともに、その上端部には第２の係止部４７が形成されている。第２の係止部４７は、図中の左方向に突出した態様で形成されている。また、第２の係止部４７は、第１の係止部４６と比較して下側、すなわち低く位置している。さらに、前壁４８及び後壁４９と、底壁４４とはなだらかな曲面４１ａにて連結されている。
【００３６】
図４に示すように、ウェイトバー４０にはダンパ５０が装着される。ダンパ５０は、エラストマーなどからなる緩衝材である。図１０に示すように、ダンパ５０には、ダンパ側溝４５に嵌合する嵌合部５１が形成されている。ダンパ５０は、ウェイトバー４０の側方から、嵌合部５１をダンパ側溝４５に挿入していく。ダンパ５０をウェイトバー４０に装着した状態で断面の外形が楕円状となる。換言すると、ダンパ５０をウェイトバー４０に装着したとき断面の外形が楕円状となるように、ダンパ５０及びウェイトバー４０の形状を設定している。ダンパ５０は、第２の係止部４７の背面からその上側を覆うように形成されている。ダンパ５０における上端部５２は、第１の係止部４６と外形が左右対称となるように形成されている。ただし、このダンパ５０の上端部５２に下側生地押さえ１７を係止する機能はない。
【００３７】
図５に示すように、スクリーン１０が巻き上げられたときには、フレーム１１にダンパ５０が当接する。これにより、静音性を高めることができる。
図１０に２点鎖線で示すように、中空部４３には錘５８が充填される。また、下側溝４２には、プルコードに接続されるプルコード止め５９が装着される。プルコードを下方へ引っ張る操作を通じて、スクリーン１０が下方に引き出される。
【００３８】
上側溝４１は、下側生地押さえ１７を略水平を保った状態で、ウェイトバー４０の側方から挿入可能に形成されている。すなわち、上側溝４１内における所定の角度の対角線は、下側生地押さえ１７における図１０の左右方向（前後方向）の長さより長く形成されている。
【００３９】
スクリーン１０の表面１０ａが室内側となっているときには、スクリーン１０を介して下側生地押さえ１７の左端部が上側に引っ張られる。この力は、スクリーン１０が実際に上側に引っ張られているわけではなく、ウェイトバー４０及び錘５８等の重力によって相対的に加わっている。このとき、下側生地押さえ１７の一端側（当接部１７ａと反対側の端部）が、それに装着されるスクリーン１０を介して第１の係止部４６によって係止される。これにより、ウェイトバー４０及び錘５８等の重力によってウェイトバー４０が下側生地押さえ１７から脱落することがない。
【００４０】
（作用）
スクリーン１０の表裏を反転させた場合の作用について説明する。ここでは、まず、スクリーン１０の反転時における巻取軸１３への装着時の作用について説明する。
【００４１】
図６に示すように、まず、巻取軸１３の室外側から垂下していたスクリーン１０を、巻取軸１３の室内側から垂下した状態とした後に生地保持部材３１を取り外す。そして、図７に示すように、スクリーン１０の表裏を反転させて、上側生地押さえ１５が生地の下側となってその上にスクリーン１０が位置する状態とする。次に、図８に示すように、生地保持部材３１を係止突部１８の膨径部１９に嵌め込む。そして、図９に示すように、再び、スクリーン１０を巻取軸１３の室外側から垂下した状態とすることで、スクリーン１０の表裏の反転が完了する。
【００４２】
次に、スクリーン１０の反転時におけるウェイトバー４０の装着時の作用について説明する。
上記図５を参照して説明したように、ウェイトバー４０に装着されるダンパ５０は、ウェイトバー４０とフレーム１１との接触を抑制する。この機能を発揮させるためには、ウェイトバー４０がスクリーン１０に装着された状態でダンパ５０は室外側に存在する必要がある。よって、スクリーン１０の反転時にウェイトバー４０も反転させる。
【００４３】
図１０を参照して上述したように、第１の係止部４６を通じて下側生地押さえ１７が係止されている状態において、ウェイトバー４０の側方から下側生地押さえ１７を引き抜く。そして、上記スクリーン１０の反転に伴って下側生地押さえ１７を左右反転させた状態で、再びウェイトバー４０に挿入していく。すると、図１１に示すように、下側生地押さえ１７の右端部がスクリーン１０により相対的に上側に引っ張られる。
【００４４】
このとき、当接部１７ａは、前壁４８側の曲面４１ａに接することで、下側生地押さえ１７は安定した姿勢となる。そして、下側生地押さえ１７の一端側（当接部１７ａと反対側の端部）がスクリーン１０を介在させて第２の係止部４７に当接する。第２の係止部４７は下側生地押さえ１７の一端側を係止することで、下側生地押さえ１７を上側溝４１内に保持する。これにより、ウェイトバー４０及び錘５８等の重力によってウェイトバー４０が下側生地押さえ１７から脱落することがない。
【００４５】
以上、説明した実施形態によれば、以下の作用効果を奏することができる。
（１）スクリーン１０の表裏が反転されることに伴って下側生地押さえ１７が反転された場合であっても、下側生地押さえ１７がウェイトバー４０の上側溝４１内に保持される。スクリーン１０の表面１０ａが室内側にあるときには、第１の係止部４６を通じて下側生地押さえ１７が上側溝４１内に係止される。また、スクリーン１０の裏面１０ｂが室内側にあるときには、第２の係止部４７を通じて下側生地押さえ１７が上側溝４１内に係止される。よって、ウェイトバー４０が自重によってスクリーン１０から脱落することが抑制される。本構成においては、スクリーン１０の表裏の反転が可能とされるロールスクリーンであってもウェイトバー４０は１つで済む。よって、ロールスクリーンの構成を複雑化することなく、スクリーン１０の表裏が反転されてもウェイトバー４０をスクリーン１０に装着可能となる。
【００４６】
（２）第２の係止部４７は、装着されたダンパ５０に背面側及び上側に覆われるように形成される。すなわち、第２の係止部４７は、第１の係止部４６に比して低く、かつ内側に形成される。このように第２の係止部４７を形成することで、ウェイトバー４０にダンパ５０が装着された状態での断面の外形の対称性を確保することができる。これにより、ウェイトバー４０にダンパ５０が装着した状態における重量バランスや意匠性を向上させることができる。
【００４７】
（３）上側溝４１には１対の曲面４１ａが形成されている。この曲面４１ａは、下側生地押さえ１７の当接部１７ａの曲面に合わせた形状となっている。これにより、スクリーン１０を反転させた図１０及び図１１の状態において、当接部１７ａにおける曲面４１ａとの接触位置を一定とすることができる。
【００４８】
（第２の実施形態）
以下、本発明の第２の実施形態について、図１２及び図１３を参照しつつ説明する。
この実施形態のロールスクリーンは、スクリーンの生地の厚さを除き第１の実施形態のロールスクリーンとほぼ同様の構成を備えている。以下、第１の実施形態との相違点を中心に説明する。
【００４９】
図１２に示すように、本例におけるスクリーン６０には、縫製用の最も薄い生地が採用されている。このスクリーン６０は、上記実施形態と同様に、両生地押さえ１５，１７は、スクリーン１０に対して縫合されている。
【００５０】
スクリーン６０の表裏の反転は、上記第１の実施形態と同様に行われる。
図１２に示すように、スクリーン６０の生地は薄いため、第１の実施形態における図１０に比べて、下側生地押さえ１７は時計回りにその厚みの差分に応じた角度だけ回転した位置に保持される。このときにも、下側生地押さえ１７の当接部１７ａは、右側の曲面４１ａに当接することで下側生地押さえ１７の位置が安定する。
【００５１】
これと同様に、図１３に示すように、スクリーン６０の表裏を反転させたときには、第１の実施形態における図１１に比べて、下側生地押さえ１７は反時計回りに生地の厚みの差分に応じた角度だけ回転した位置に保持される。このときにも、下側生地押さえ１７の当接部１７ａが左側の曲面４１ａに当接することで下側生地押さえ１７の位置が安定する。換言すると、スクリーンの厚さを変えることで、安定する下側生地押さえ１７の角度が異なる場合であっても、曲面４１ａが形成されることで、その安定する角度に下側生地押さえ１７を保持できる。すなわち、曲面４１ａを通じて下側生地押さえ１７の回転自由度が確保されている。
【００５２】
以上、説明した実施形態によれば、特に、以下の効果を奏することができる。
（４）スクリーン６０として縫製用の最も薄い生地が採用された場合であっても、第１の実施形態と同一のウェイトバー４０にて、下側生地押さえ１７を保持することができる。これにより、ウェイトバー４０の汎用性を向上させることができる。
【００５３】
（第３の実施形態）
以下、本発明の第３の実施形態について、図１４及び図１５を参照しつつ説明する。
この実施形態のロールスクリーンは、スクリーンの生地の厚さ及び両生地押さえ１５，１７の取り付け方法を除き第１の実施形態のロールスクリーンとほぼ同様の構成を備えている。以下、第１の実施形態との相違点を中心に説明する。
【００５４】
図１４に示すように、本例におけるスクリーン６１に対して、生地押さえはホッチキスによって取り付けられる。また、本例では、スクリーン６１としてホッチキス用の最も厚い生地が採用されている。この生地は、第１の実施形態における縫製用の最も厚い生地よりさらに厚く形成されている。
【００５５】
本例では、上記両実施形態と形状の異なる生地押さえ６２が採用される。具体的には、図１４に示すように、縫製用の生地押さえに設けられる当接部１５ａ，１７ａは省略されて、完全な板状に形成される。これは、ホッチキスを通じた取り付けは一度に行えるところ縫製の場合と異なって生地のずれが生じないからである。そして、生地押さえ６２は、縫製用の生地押さえより薄く形成されている。
【００５６】
スクリーン６１の表裏の反転は、上記両実施形態と同様に行われる。図１４に示すように、スクリーン６１の生地は厚いため、第１の実施形態における図１０に比べて、生地押さえ６２は反時計回りにその厚みの差分に応じた角度だけ回転した位置に保持される。このときにも、生地押さえ６２の右端部が右側の曲面４１ａに当接することで生地押さえ６２の位置が安定する。
【００５７】
これと同様に、図１５に示すように、スクリーン６１の表裏を反転させたときには、第１の実施形態における図１１に比べて、生地押さえ６２は時計回りにスクリーンの厚みの差分に応じた角度だけ回転した位置に保持される。このときにも、生地押さえ６２の左端部（正確にはスクリーン６１の端部）が左側の曲面４１ａに当接することで生地押さえ６２の位置が安定する。換言すると、スクリーンの厚さを変えることで、安定する生地押さえ６２の角度が異なる場合であっても、その安定する角度に生地押さえ６２を保持可能とするために曲面４１ａが形成されている。
【００５８】
以上、説明した実施形態によれば、特に、以下の効果を奏することができる。
（５）スクリーン６１としてホッチキス用の最も厚い生地が採用されて、さらにホッチキス用の生地押さえ６２が採用された場合であっても、上記各実施形態と同一のウェイトバー４０にて、生地押さえ６２を保持することができる。これにより、ウェイトバー４０の汎用性を向上させることができる。
【００５９】
（第４の実施形態）
以下、本発明の第４の実施形態について、図１６及び図１７を参照しつつ説明する。
この実施形態のロールスクリーンは、スクリーンの生地の厚さを除き第３の実施形態のロールスクリーンとほぼ同様の構成を備えている。以下、第３の実施形態との相違点を中心に説明する。
【００６０】
図１６に示すように、本例におけるスクリーン６５には、ホッチキス用の最も薄い生地が採用されている。この生地は、第２の実施形態における縫製用の最も薄い生地と同じ厚さである。
【００６１】
スクリーン６５の表裏の反転は、上記両実施形態と同様に行われる。
図１６に示すように、スクリーン６５の生地は薄いため、第３の実施形態における図１４に比べて、生地押さえ６２は時計回りにその厚みの差分に応じた角度だけ回転した位置に保持される。このときにも、生地押さえ６２の右端部が右側の曲面４１ａに当接することで生地押さえ６２の位置が安定する。
【００６２】
これと同様に、図１７に示すように、スクリーン６５の表裏を反転させたときには、第３の実施形態における図１５に比べて、生地押さえ６２は反時計回りにスクリーンの厚みの差分に応じた角度だけ回転した位置に保持される。このときにも、生地押さえ６２の左端部が左側の曲面４１ａに当接することで生地押さえ６２の位置が安定する。
【００６３】
以上、説明した実施形態によれば、特に、以下の効果を奏することができる。
（６）スクリーン６５としてホッチキス用の最も薄い生地が採用された場合であっても、上記各実施形態と同一のウェイトバー４０にて、生地押さえ６２を保持することができる。これにより、ウェイトバー４０の汎用性を向上させることができる。
【００６４】
（第５の実施形態）
以下、本発明の第５の実施形態について、図１８及び図１９を参照しつつ説明する。
この実施形態のロールスクリーンは、ウェイトバーの構成を除き第１の実施形態のロールスクリーンとほぼ同様の構成を備えている。以下、第１の実施形態との相違点を中心に説明する。なお、本例では、ホッチキス用の生地押さえ６２が採用されているが、縫製用の生地押さえ１７を採用してもよい。
【００６５】
図１８に示すように、上側溝４１内の両曲面４１ａが省略されている。すなわち、前壁４８及び後壁４９が底壁４４に対して直交している。また、本例の第２の係止部７０は、上側溝４１の底壁４４側に屈曲されてなる。すなわち、第２の係止部７０は、略Ｌ字状に形成されるとともに、その長手辺が左斜め下に延出する角度に倒されてなる。
【００６６】
図１８に示すように、第１の係止部４６により生地押さえ６２が係止されているとき、第２の係止部７０の先端は、生地押さえ６２の上面を当接する。これにより、生地押さえ６２の位置を安定させることができる。
【００６７】
図１９に示すように、スクリーン６５の表裏を反転させたときには、第２の係止部７０が生地押さえ６２をスクリーン６５を介して上側溝４１内に係止する。このとき、生地押さえ６２の左端部がスクリーン６５を介して底壁４４に当接することで生地押さえ６２の位置が安定する。これにより、ウェイトバー４０がスクリーン６５から脱落することが抑制される。
【００６８】
以上、説明した実施形態によれば、特に、以下の効果を奏することができる。
（７）ウェイトバー４０における上側溝４１及び第２の係止部７０の形状を変更した場合であっても、上記実施形態と同様の効果が得られる。
【００６９】
なお、上記実施形態は、これを適宜変更した以下の形態にて実施することができる。
・スクリーンの生地の厚さは、上記各実施形態に限定されない。すなわち、縫製用及びホッチキス用の最も厚い生地及び最も薄い生地の中間の厚さであってもよい。また、最も厚い生地よりさらに厚くしたり、最も薄い生地よりさらに薄くしたりしても、上記実施形態と同様の作用効果が得られる。
【００７０】
・上記各実施形態において、ウェイトバー４０における中空部４３及び下側溝４２を省略してもよい。
・第１及び第２の実施形態において、生地押さえ１７の当接部１７ａの外面は曲面状に形成されていなくてもよい。また、ホッチキス用の生地押さえと同様に、当接部１７ａを省略して各生地押さえ１７を板状に形成してもよい。この場合であっても、上記実施形態と同様の作用効果が得られる。
【００７１】
・上記各実施形態において、スクリーンは、両生地押さえ１５，１７に接着剤や両面テープにより装着されてもよい。
・第３及び第４の実施形態においても、当接部１５ａ，１７ａを有する生地押さえを採用してもよい。
【符号の説明】
【００７２】
１０…スクリーン、１０ａ…表面、１０ｂ…裏面、１１…フレーム、１３…巻取軸、１５…上側生地押さえ、１７…下側生地押さえ、４０…ウェイトバー、４１…上側溝、４２…下側溝、４１ａ…曲面、４６…第１の係止部、４７…第２の係止部、５０…ダンパ、６０，６１，６５…スクリーン。
【図１】
0005788227.tif 000002
【図２】
0005788227.tif 000003
【図３】
0005788227.tif 000004
【図４】
0005788227.tif 000005
【図５】
0005788227.tif 000006
【図６】
0005788227.tif 000007
【図７】
0005788227.tif 000008
【図８】
0005788227.tif 000009
【図９】
0005788227.tif 000010
【図１０】
0005788227.tif 000011
【図１１】
0005788227.tif 000012
【図１２】
0005788227.tif 000013
【図１３】
0005788227.tif 000014
【図１４】
0005788227.tif 000015
【図１５】
0005788227.tif 000016
【図１６】
0005788227.tif 000017
【図１７】
0005788227.tif 000018
【図１８】
0005788227.tif 000019
【図１９】
0005788227.tif 000020
【図２０】
0005788227.tif 000021
【図２１】
0005788227.tif 000022